(57)【要約】本発明は、移動通信システムのサービス提供方法及びその装置に関するものであって、個人的な携帯が可能であり、移動性を支援する移動端末機に自身の身上情報と交際を所望する相手についての希望者情報をあらかじめ設定して、近距離通信方式で希望する相手を検索して交際情報を交換できるようにして、自身が所望する相手を迅速で正確に検索することが可能になりながら異性交際または同好人交際などをより效率的に進行させることである。【選択図】図１
2008522481.tif 000002
【特許請求の範囲】
【請求項１】
移動通信システムにおいて、
加入者の選択によって身上情報及び希望者情報によるコードデータを保存し、近距離通信網に受信されるコードデータと、前記希望者情報のコードデータとの一致程度によって識別情報が含まれるプロポーズ要請メッセージを提供する少なくとも一つ以上の移動端末と、
前記各移動端末の識別情報を管理しながら第１移動端末から前記識別情報が含まれた前記プロポーズ要請メッセージが受信されれば、移動通信網を通じて前記識別情報による第２移動端末にプロポーズメッセージを伝送し、受信される応答メッセージによってプロポーズ応答メッセージを第１移動端末に伝送する交際管理サーバーとを含むことを特徴とする移動通信システム。
【請求項２】
前記各移動端末は、
前記加入者の選択によって前記身上情報の条件項目別条件分類データによるコードデータを保存する第１保存部と、
前記加入者の選択によって前記希望者情報の条件項目別条件分類データによるコードデータを保存する第２保存部と、
前記近距離通信網の範囲内に相手移動端末が近付けば、身上情報を要請し、受信されるコードデータによる身上情報の条件項目と、前記第２保存部に保存された前記希望者情報の条件項目との一致程度によって前記プロポーズ要請メッセージを前記交際管理サーバーに伝送する交際管理処理部とを含むことを特徴とする請求項１に記載の移動通信システム。
【請求項３】
前記近距離通信網を通じてブルートゥース通信方式によって前記コードデータを伝送し、受信される前記コードデータを前記交際管理サーバーに提供するブルートゥース処理部をさらに含むことを特徴とする請求項２に記載の移動通信システム。
【請求項４】
前記交際管理処理部は、
前記相手移動端末から身上情報要請があれば、前記第１保存部に保存された前記身上情報によるコードデータまたは自身の識別情報を前記近距離通信網を通じて前記相手移動端末に伝送することを特徴とする請求項２に記載の移動通信システム。
【請求項５】
前記各移動端末は、
前記近距離通信網に受信される前記コードデータまたは前記識別情報が含まれる前記プロポーズ要請メッセージを移動通信網を通じて前記交際管理サーバーに伝送することを特徴とする請求項１に記載の移動通信システム。
【請求項６】
前記交際管理サーバーは、
前記各移動端末の加入者別身上情報または希望者情報によるコードデータを管理しながら前記第１移動端末から第２移動端末のコードデータまたは前記識別情報が受信されれば、前記識別情報による加入者の希望者情報と、前記第２移動端末のコードデータによる身上情報との一致程度を判別した以後に前記第２移動端末に前記第１移動端末の加入者情報及びプロポーズ要請情報が含まれるプロポーズメッセージを伝送することを特徴とする請求項１に記載の移動通信システム。
【請求項７】
前記加入者情報は、
前記各移動端末の電話番号情報または前記加入者の個人情報であることを特徴とする請求項６に記載の移動通信システム。
【請求項８】
前記交際管理サーバーは、
前記プロポーズメッセージにコールバック（Ｃａｌｌｂａｃｋ）ＵＲＬ情報を含ませて前記第２移動端末が前記コールバックＵＲＬ情報を用いて応答メッセージを伝送させることを特徴とする請求項１に記載の移動通信システム。
【請求項９】
前記交際管理サーバーは、
前記第２移動端末から受信される応答メッセージにプロポーズ受諾情報が含まれていれば、各移動端末間の音声通話を設定するか、受信される交際情報を短文メッセージで相手移動端末に伝送することを特徴とする請求項１に記載の移動通信システム。
【請求項１０】
前記交際管理サーバーは、
前記第２移動端末から受信される応答メッセージにプロポーズ拒否情報が含まれていれば、プロポーズ受諾拒否情報を前記第１移動端末に伝送することを特徴とする請求項１に記載の移動通信システム。
【請求項１１】
前記識別情報は、
端末機一連番号情報またはブルートゥースモジュールＩＤ情報であることを特徴とする請求項１に記載の移動通信システム。
【請求項１２】
前記各移動端末の身上情報について条件項目別に推薦情報を付加する推薦移動端末をさらに含むことを特徴とする請求項１に記載の移動通信システム。
【請求項１３】
前記各移動端末は、
前記推薦移動端末から付加される前記推薦情報を前記交際管理サーバーにバックアップし、前記身上情報の要請があれば、前記推薦移動端末から添付された前記推薦情報と、前記身上情報によるコードデータとを同時に提供することを特徴とする請求項１または１１に記載の移動通信システム。
【請求項１４】
前記交際管理サーバーは、
各移動端末の加入者情報、前記各加入者別に移動端末機に設定した身上情報のコードデータ情報、前記各加入者別に移動端末に設定した希望者情報のコードデータ情報、前記各移動端末から受信されるプロポーズ要請メッセージによる移動端末の識別情報、一致程度情報、前記各加入者別のプロポーズ情報または前記各加入者間の交際情報のうち少なくとも一つ以上の種類別情報を保存することを特徴とする請求項１に記載の移動通信システム。
【請求項１５】
移動通信システムにおいて、
加入者の選択によって身上情報及び希望者情報のコードデータを保存し、近距離通信網に受信される前記移動端末から受信されるコードデータと、希望者情報のコードデータとの一致程度によって交際メッセージを前記近距離通信網を通じて相手移動端末に伝送する少なくとも一つ以上の移動端末を含むことを特徴とする移動通信システム。
【請求項１６】
前記各移動端末は、
前記加入者の選択によって前記身上情報の条件項目別条件分類データによるコードデータを保存する第３保存部と、
前記加入者の選択によって前記希望者情報の条件項目別条件分類データによるコードデータを保存する第４保存部と、
交際情報を含む少なくとも一つ以上の交際メッセージと、前記各交際メッセージに相応する入力コードデータを保存する第５保存部と、
前記近距離通信網の範囲内に相手移動端末が近付けば、身上情報を要請し、受信されるコードデータによる身上情報の条件項目と、前記第４保存部に保存された前記希望者情報の条件項目との一致程度によって前記第５保存部に保存された前記各交際メッセージを表示し、前記加入者が選択する交際メッセージに相応する入力コードデータを相手移動端末に伝送する交際処理部とを含むことを特徴とする請求項１５に記載の移動通信システム。
【請求項１７】
前記交際処理部は、
前記身上情報によるコードデータまたは前記入力コードデータをブルートゥース通信方式で相手移動端末に伝送することを特徴とする請求項１６に記載の移動通信システム。
【請求項１８】
前記各移動端末は、
前記加入者が設定する条件情報を保存し、前記相手移動端末から受信されるコードデータのうち前記保存された条件に符合するか否かを確認した以後に前記条件に符合されれば、前記希望者情報と前記身上情報との一致情報を判別することを特徴とする請求項１５に記載の移動通信システム。
【請求項１９】
前記条件情報は、
前記近距離通信網を通じて身上情報を要請するか否かを設定する能動／受動条件情報、前記身上情報の条件項目に加重値を付与する加重値条件情報、前記各条件項目のうち少なくとも一つ以上のタイプ別に検索する検索条件情報、前記各条件項目のうち少なくとも一つ以上の項目を制限する制限条件情報または前記各条件項目のうち少なくとも一つ以上の条件項目を指定する特定条件情報のうち少なくとも一つであることを特徴とする請求項１８に記載の移動通信システム。
【請求項２０】
前記各移動端末が前記身上情報及び希望者情報によるコードデータを生成し、前記近距離通信網に接近する相手移動端末に身上情報を要請し、受信される身上情報と前記希望者情報との一致程度によって前記交際メッセージを伝送する交際処理プログラムを有線または無線ネットワークを通じて提供するプログラム提供サーバーをさらに含むことを特徴とする請求項１５に記載の移動通信システム。
【請求項２１】
移動通信システムのサービス提供方法において、
少なくとも一つ以上の移動端末が加入者の選択によって身上情報及び希望者情報によるコードデータを保存する段階と、
第１移動端末が近距離通信網に接近する第２移動端末に身上情報を要請する段階と、
前記第１移動端末が前記近距離通信網を通じて前記第２移動端末から受信されるコードデータと、前記希望者情報のコードデータとの一致程度によって識別情報が含まれるプロポーズ要請メッセージを交際管理サーバーに伝送する段階と、
前記交際管理サーバーが前記プロポーズ要請メッセージに含まれた前記識別情報によって移動通信網を通じて前記第２移動端末にプロポーズメッセージを伝送する段階と、
前記交際管理サーバーが前記プロポーズメッセージの応答メッセージによって前記プロポーズ応答メッセージを前記移動端末に伝送する段階とを含むことを特徴とする移動通信システムのサービス提供方法。
【請求項２２】
前記プロポーズメッセージの伝送は、
前記交際管理サーバーが移動通信網を通じて短文メッセージ形態で伝送することを特徴とする請求項２１に記載の移動通信システムのサービス提供方法。
【請求項２３】
前記交際管理サーバーが前記各移動端末の識別情報を管理する段階と、
前記プロポーズ要請メッセージに含まれた前記識別情報によって前記第２移動端末を把握してプロポーズ情報またはコールバックＵＲＬ情報が含まれるプロポーズメッセージを伝送する段階と、
前記第２移動端末が前記プロポーズメッセージに含まれた前記プロポーズ情報を表示する段階と、
前記第２移動端末が加入者の選択によってプロポーズ受諾情報またはプロポーズ拒否情報が含まれる応答メッセージを前記コールバックＵＲＬ情報を用いて前記交際管理サーバーに伝送する段階とをさらに含むことを特徴とする請求項２１に記載の移動通信システムのサービス提供方法。
【請求項２４】
前記交際管理サーバーが前記第２移動端末から受信される応答メッセージにプロポーズ受諾情報が含まれていれば、前記第１移動端末の加入者情報を前記第２移動端末に伝送して、前記各移動端末間の音声通話を設定する段階と、
前記交際管理サーバーが前記第２移動端末から受信される応答メッセージにプロポーズ拒否情報が含まれていれば、前記第１移動端末にプロポーズ拒否情報が含まれたプロポーズ応答メッセージを伝送する段階とをさらに含むことを特徴とする請求項２１に記載の移動通信システムのサービス提供方法。
【請求項２５】
前記交際管理サーバーが前記第１移動端末から前記プロポーズ要請メッセージが受信されれば、前記第１移動端末の身上情報と、前記第２移動端末の希望者情報との一致程度を判別する段階と、
前記一致程度が前記プロポーズ要請メッセージに含まれた一致程度と同一であれば、前記プロポーズメッセージを前記第２移動端末に伝送する段階とをさらに含むことを特徴とする請求項２１に記載の移動通信システムのサービス提供方法。
【請求項２６】
前記身上情報のコードデータ伝送は、
ブルートゥース通信方式で前記近距離通信網に伝送することを特徴とする請求項２１に記載の移動通信システムのサービス提供方法。
【請求項２７】
前記識別情報は、
端末機一連番号情報またはブルートゥースモジュールＩＤ情報であることを特徴とする請求項２１に記載の移動通信システムのサービス提供方法。
【請求項２８】
前記各移動端末の推薦移動端末から身上情報についての推薦情報が付加されれば、前記推薦情報を前記交際管理サーバーにバックアップする段階と、
前記身上情報要請があれば、前記身上情報についてのコードデータと、前記推薦情報を同時に伝送する段階とをさらに含むことを特徴とする請求項２１に記載の移動通信システムのサービス提供方法。
【請求項２９】
移動通信システムのサービス提供方法において、
少なくとも一つ以上の移動端末が加入者の選択によって身上情報及び希望者情報のコードデータを保存する段階と、
第１移動端末が近距離通信網に接近する第２移動端末に身上情報を要請する段階と、
前記第１移動端末が受信する身上情報のコードデータと、希望者情報のコードデータとの一致程度によって交際メッセージを前記第２移動端末に伝送する段階とを含むことを特徴とする移動通信システムのサービス提供方法。
【請求項３０】
前記各端末が少なくとも一つ以上の交際情報を含む交際メッセージと、前記各交際メッセージに相応する入力コードデータを保存する段階と、
前記加入者が選択する交際メッセージに相応する入力コードデータを前記近距離通信網を通じて伝送する段階とをさらに含むことを特徴とする請求項２９に記載の移動通信システムのサービス提供方法。
【請求項３１】
前記加入者が設定する条件情報を保存する段階と、
前記受信される身上情報のコードデータと前記希望者情報のコードデータとの一致程度が前記条件情報に符合するか否かを判断する段階と、
前記条件情報に符合すれば、前記各コードデータの一致程度を判別する段階とをさらに含むことを特徴とする請求項２９に記載の移動通信システムのサービス提供方法。
【請求項３２】
前記各移動端末がプログラム提供サーバーに交際管理プログラムを要請する段階と、
前記各移動端末が前記プログラム提供サーバーから有線または無線ネットワークを通じて前記交際管理プログラムを提供される段階と、
前記各移動端末が前記交際管理プログラムを設置し、前記加入者の選択によって身上情報または希望者情報についてのコードデータを生成する段階とをさらに含むことを特徴とする請求項２９に記載の移動通信システムのサービス提供方法。
【発明の詳細な説明】
【技術分野】
【０００１】
本発明は、移動通信システムのサービス提供方法及びその装置に係り、より詳細には、個人携帯が可能で移動性を支援する移動端末機を用いて自身が希望する相手を検索し、交際情報を交換できる移動通信システムのサービス提供方法及びその装置に関する。
【背景技術】
【０００２】
一般的に、異性交際や個人的な趣味または趣向を有している同好人の交際は、オフライン上で直接出会いを持つか、専門機関（例えば、結婚相談所など）を通じて出会いを持つか、同一の趣向を有した者間の偶然な出会いを持つことで始まる場合が多い。
【０００３】
オフライン上で異性交際または同好人交際は、相手が個人の身上情報及び好感程度などのように交際の進行のために必要な情報を獲得することが容易ではなく、特に、異性交際の場合には、自身が希望している異性観に合う相手をあらかじめ分かって会うことが極めて難しいために自身が希望する相手に会うまで長期間がかかり、自身の希望事項を満足させる相手を出会うのは難しいのが実情である。
【０００４】
最近には、オフライン上の異性交際や同好人交際に対する問題点を解消するため、インターネットを通じたウェブコミュニティーサービスまたはインターネットチャットサービスを通じての所望の異性または同好人についての情報交換が活発になされている。
【０００５】
しかし、インターネットのウェブコミュニティーサービスまたはインターネットチャットサービスなどを通じた異性交際または同好人交際は、ウェブ基盤のサービス機能を活用してマルチメディア情報の交換を通じて相手との交際のための情報の交換が円滑に進行できるが、情報の交換がウェブ基盤でなされているためにインターネット使用が可能なコンピュータ端末機を通じてのみ情報を交換することができ、加入者が所望の相手の情報を獲得するためには、毎回インターネットを通じてウェブサイトに接続してから必要な情報を検索しなければならない煩わしさがある。
【０００６】
また、インターネットを通じた交際サービスの場合には、匿名に進行されるようになっていて性醜行や援助交際のような不適切な情報交流がなされる可能性が多く、交際のための規則や情報交流方式が規定化されていないために、所望の異性や同好人を短時間に捜しにくい問題がある。
【発明の開示】
【発明が解決しようとする課題】
【０００７】
本発明は、前記問題を解決するために創案されたものであって、個人携帯が可能で移動性を支援する移動端末機を通じて自身が希望する相手を検索すると同時に、相手にプロポーズして交際情報を交換できる移動通信システムのサービス提供方法及びその装置を提供することにその目的がある。
【課題を解決するための手段】
【０００８】
前記目的を果たすための本発明の一側面による移動通信システムは、加入者の選択によって身上情報及び希望者情報によるコードデータを保存し、近距離通信網に受信されるコードデータと、希望者情報のコードデータとの一致程度によって識別情報が含まれるプロポーズ要請メッセージを提供する少なくとも一つ以上の移動端末と、各移動端末の識別情報を管理しながら第１移動端末から識別情報が含まれたプロポーズ要請メッセージが受信されれば、移動通信網を通じて識別情報による第２移動端末にプロポーズメッセージを伝送し、受信される応答メッセージによってプロポーズ応答メッセージを第１移動端末に伝送する交際管理サーバーとを含む。
【０００９】
本発明による移動通信システムの各移動端末は、加入者の選択によって身上情報の条件項目別条件分類データによるコードデータを保存する第１保存部と、加入者の選択によって希望者情報の条件項目別条件分類データによるコードデータを保存する第２保存部と、近距離通信網の範囲内に相手移動端末が近付けば、身上情報を要請し、受信されるコードデータによる身上情報の条件項目と、第２保存部に保存された希望者情報の条件項目との一致程度によってプロポーズ要請メッセージを交際管理サーバーに伝送する交際管理処理部とを含む。
【００１０】
そして、本発明による移動通信システムの移動端末は、近距離通信網を通じてブルートゥース通信方式によってコードデータを伝送し、受信されるコードデータを交際管理サーバーに提供するブルートゥース処理部をさらに含む。
【００１１】
本発明による移動通信システムは、各移動端末の身上情報について条件項目別に推薦情報を付加する推薦移動端末をさらに含む。
【００１２】
本発明の他の側面による移動通信システムは、加入者の選択によって身上情報及び希望者情報のコードデータを保存し、近距離通信網に受信される移動端末から受信されるコードデータと、希望者情報のコードデータとの一致程度によって交際メッセージを近距離通信網を通じて相手移動端末に伝送する少なくとも一つ以上の移動端末を含む。
【００１３】
そして、本発明による各移動端末は、加入者の選択によって身上情報の条件項目別条件分類データによるコードデータを保存する第３保存部と、加入者の選択によって希望者情報の条件項目別条件分類データによるコードデータを保存する第４保存部と、交際情報を含む少なくとも一つ以上の交際メッセージと、各交際メッセージに相応する入力コードデータを保存する第５保存部と、近距離通信網の範囲内に相手移動端末が近付けば、身上情報を要請し、受信されるコードデータによる身上情報の条件項目と、第２保存部に保存された希望者情報の条件項目との一致程度によって第５保存部に保存された各交際メッセージを表示し、加入者が選択する交際メッセージに相応する入力コードデータを相手移動端末に伝送する交際処理部とを含む。
【００１４】
本発明による移動通信システムは、各移動端末が身上情報及び希望者情報によるコードデータを生成し、近距離通信網に接近する相手移動端末に身上情報を要請し、受信された身上情報と前記希望者情報との一致程度によって交際メッセージを伝送する交際処理プログラムを有線または無線ネットワークを通じて提供するプログラム提供サーバーをさらに含む。
【００１５】
本発明のまた他の側面による移動通信システムのサービス提供方法は、少なくとも一つ以上の移動端末が加入者の選択によって身上情報及び希望者情報によるコードデータを保存する段階と、第１移動端末が近距離通信網に接近する第２移動端末に身上情報を要請する段階と、第１移動端末が近距離通信網を通じて第２移動端末から受信されるコードデータと、希望者情報のコードデータとの一致程度によって識別情報が含まれるプロポーズ要請メッセージを交際管理サーバーに伝送する段階と、交際管理サーバーがプロポーズ要請メッセージに含まれた識別情報によって移動通信網を通じて第２移動端末にプロポーズメッセージを伝送する段階と、交際管理サーバーがプロポーズメッセージの応答メッセージによってプロポーズ応答メッセージを移動端末に伝送する段階とを含む。
【００１６】
そして、本発明による移動通信システムのサービス提供方法は、交際管理サーバーが各移動端末の識別情報を管理する段階と、プロポーズ要請メッセージに含まれた識別情報によって第２移動端末を把握してプロポーズ情報またはコールバック（Ｃａｌｌｂａｃｋ）ＵＲＬ情報が含まれるプロポーズメッセージを伝送する段階と、第２移動端末がプロポーズメッセージに含まれたプロポーズ情報を表示する段階と、第２移動端末が加入者の選択によってプロポーズ受諾情報またはプロポーズ拒否情報が含まれる応答メッセージをコールバックＵＲＬ情報を用いて交際管理サーバーに伝送する段階とをさらに含む。
【００１７】
本発明による移動通信システムのサービス提供方法は、交際管理サーバーが第２移動端末から受信される応答メッセージにプロポーズ受諾情報が含まれていれば、第１移動端末の加入者情報を第２移動端末に伝送して、各移動端末間の音声通話を設定する段階と、交際管理サーバーが第２移動端末から受信される応答メッセージにプロポーズ拒否情報が含まれていれば、第１移動端末にプロポーズ拒否情報が含まれたプロポーズ応答メッセージを伝送する段階とをさらに含む。
【００１８】
また、本発明による移動通信システムのサービス提供方法は、交際管理サーバーが第１移動端末からプロポーズ要請メッセージが受信されれば、第１移動端末の身上情報と、第２移動端末の希望者情報との一致程度を判別する段階と、一致程度がプロポーズ要請メッセージに含まれた一致程度と同一であれば、プロポーズメッセージを第２移動端末に伝送する段階とをさらに含む。
【００１９】
そして、本発明による移動通信システムのサービス提供方法は、各移動端末の推薦移動端末から身上情報についての推薦情報が付加されれば、推薦情報を交際管理サーバーにバックアップする段階と、身上情報要請があれば、身上情報についてのコードデータと、推薦情報を同時に伝送する段階とをさらに含む。
【００２０】
本発明のさらに他の側面による移動通信システムのサービス提供方法は、少なくとも一つ以上の移動端末が加入者の選択によって身上情報及び希望者情報のコードデータを保存する段階と、第１移動端末が近距離通信網に接近する第２移動端末に身上情報を要請する段階と、第１移動端末が受信される身上情報のコードデータと、希望者情報のコードデータとの一致程度によって交際メッセージを第２移動端末に伝送する段階とを含む。
【００２１】
そして、本発明による移動通信システムのサービス提供方法は、各端末が少なくとも一つ以上の交際情報を含む交際メッセージと、各交際メッセージに相応する入力コードデータを保存する段階と、加入者が選択する交際メッセージに相応する入力コードデータを近距離通信網を通じて伝送する段階とをさらに含む。
【００２２】
また、本発明による移動通信システムのサービス提供方法は、加入者が設定する条件情報を保存する段階と、受信される身上情報のコードデータと希望者情報のコードデータとの一致程度が条件情報に符合するか否かを判断する段階と、条件情報に符合すれば、各コードデータの一致程度を判別する段階とをさらに含む。
【００２３】
本発明による移動通信システムのサービス提供方法は、各移動端末がプログラム提供サーバーに交際管理プログラムを要請する段階と、各移動端末がプログラム提供サーバーから有線または無線ネットワークを通じて前記交際管理プログラムを提供される段階と、各移動端末が前記交際管理プログラムを設置し、加入者の選択によって身上情報または希望者情報についてのコードデータを生成する段階とをさらに含む。
【発明の効果】
【００２４】
本発明によれば、携帯が可能で移動性を支援する移動端末機に自身が所望する希望者情報を設定した以後に近距離通信網内に近付いた相手加入者の身上情報と、希望者情報によって交際情報を交換することによって、加入者が随時に所望の領域を移動して交際のための相手との通信が可能であると同時に、自身が所望する相手を迅速で正確に検索できる。
【発明を実施するための最良の形態】
【００２５】
以下、本発明による移動通信システムのサービス提供方法及びその装置を添付した図面を参照して、詳しく説明する。
【００２６】
図１は、本発明の第１実施形態によるサービス提供システムを説明するためのブロック図である。
【００２７】
図１を参照すれば、本発明によるサービス提供システムは、交際処理プログラム情報を提供するプログラム提供サーバーと、交際処理プログラム情報をダウンロードして交際のための情報を交換する多数個の移動端末機とを含む。
【００２８】
移動端末機は、移動通信網を通じての音声通話及び短文メッセージ通信と無線インターネットを通じてのデータ通信とが可能な端末機を意味し、近距離に存在する相手移動端末と交際のための情報をブルートゥース通信方式で交換する。
【００２９】
このような、移動端末機には、音声通話と短文メッセージ通信、無線インターネットデータ通信が可能な携帯電話またはＰＤＡ（Ｐｅｒｓｏｎａｌ  Ｄｉｇｉｔａｌ  Ａｓｓｉｓｔａｎｔ）、通信モジュールが搭載されて移動性が保証されるノート型パソコン、パーム型コンピュータ及び近距離通信方式で相手端末機と情報を交換できる多様な端末が該当する。
【００３０】
プログラム提供サーバーは、各移動端末機の要請によって交際のための交際情報を相手移動端末機と交換する交際処理プログラム情報を移動通信網または無線インターネット網を通じて提供する。
【００３１】
そして、各移動端末機は、プログラム提供サーバーから移動通信網または無線インターネット網を通じてサービスプログラム情報をダウンロードして設置し、各移動端末機の加入者は前記サービスプログラムを通じて自身の移動端末機に自身の身上情報を項目別に設定し、希望する相手についての希望者情報を項目別に設定する。
【００３２】
ここで、交際処理プログラムは、無線インターネット網または移動通信網を通じてプログラム提供サーバーからダウンロードするか、該当の移動端末機に交際処理プログラムを製作初期に搭載するか、その他の通信方式（例えば、ＵＳＢ通信、赤外線通信）を通じてダウンロードできる。
【００３３】
そして、各移動端末機は、交際処理プログラムを設置し、加入者が自身の身上情報及び希望者情報を設定した状態でブルートゥース通信方式によって情報を交換できる領域内に他の移動端末機が近付けば、各移動端末機は近付いた移動端末機と加入者が設定した身上情報及びプロポーズ情報を交換する。
【００３４】
例えば、第１移動端末機がブルートゥース通信方式で通信が可能な領域内に第２移動端末機が近付けば、第１移動端末機は加入者の身上情報によるコードデータを第２移動端末機に伝送する。
【００３５】
そして、第２移動端末機は、第１移動端末機から受信されるコードデータによって第１移動端末機の加入者の身上情報を把握し、第１移動端末機の身上情報と、第２移動端末機の加入者が設定した希望者情報との一致程度を確認し、一致程度による数値的な点数として換算して表示する。
【００３６】
第２移動端末機の加入者は、第１移動端末機の身上情報と、自身の希望者情報との一致程度による点数が一定数値以上になれば、第１移動端末機にプロポーズ情報を伝送する。
【００３７】
すなわち、第２移動端末機は、加入者の選択によってプロポーズ情報をブルートゥース通信方式によって第１移動端末機に伝送し、第１移動端末機は、受信されたプロポーズ情報を表示した以後に加入者の選択によって個人情報を第２移動端末機に伝送する。
【００３８】
このとき、第１移動端末機が第２移動端末機に伝送する個人情報は、第１移動端末機の電話番号情報などのような第１移動端末機の識別情報または第１移動端末機の加入者情報などになり得る。
【００３９】
すなわち、各移動端末機は、個人情報を相互間交換して、加入者が相手の個人情報を提供されるようにする。
【００４０】
そして、第２移動端末機は、私生活侵害防止のために第１移動端末機から受信される個人情報を表示部を通じて表示せず、交際進行過程で使われるように臨時保存することが望ましい。
【００４１】
第２移動端末機は、第１移動端末機から個人情報（例えば、電話番号）が受信されると、加入者の選択によって第１移動端末機との音声通話を設定するか、短文メッセージを伝送して、各移動端末機の加入者に交際のための情報交換を実行させる。
【００４２】
図２は、本発明による移動端末機を説明するための内部ブロック図である。
【００４３】
図２を参照すれば、本発明による移動端末機は、キー入力部１０と、表示部１２、プログラムメモリ１４、データメモリ１６、マイクロプロセッサ１８、デジタル信号処理部（ＤＳＰ）２０、ベースバンド変換部２２、スピーカー２４、マイクロホン２６、ＲＦ信号処理部２８、ブルートゥースモジュール３０で構成される。
【００４４】
キー入力部１０は、加入者が電話番号情報を入力させるための数字ボタン（図示せず）と、文字情報を入力させる文字ボタン（図示せず）と、メニューを選択させる選択ボタン（図示せず）とを含むことができ、加入者が選択するボタンによるキー信号を提供する。
【００４５】
すなわち、加入者は、キー入力部１０を通じて自身の身上情報、希望者情報などを設定し、相手の身上情報と希望者情報との一致程度によってプロポーズ情報を相手移動端末に伝送し、相手移動端末機と音声通話または短文メッセージ交換を通じて交際を進行できる。
【００４６】
表示部１２は、移動端末機の電源状態、電波の受信状態、日付及び時間情報などのような移動端末機の状態情報を表示し、加入者が設定する身上情報及び希望者情報を設定するための表示情報と、相手の身上情報と希望者情報との一致程度による数値を表示する。
【００４７】
そして、表示部１２は、相手移動端末機から受信される短文メッセージによって交際情報を表示する。
【００４８】
プログラムメモリ１４は、移動通信網を通じて音声通話サービス及び短文メッセージサービスを実行するための通信用ソフトウェアプログラム情報及び相手との交際のための交際処理プログラム情報を保存する。
【００４９】
データメモリ１６は、加入者から交際処理プログラムを通じて設定される身上情報と、希望者情報によるデータと、相手移動端末機から受信される個人情報及び交際情報とを保存する。
【００５０】
ブルートゥースモジュール３０は、近距離に接近する他の移動端末機のブルートゥースモジュール３０にブルートゥース通信方式によって、マイクロプロセッサ１８から提供されるコードデータを伝送するか、他の移動端末機から受信されるコードデータをマイクロプロセッサ１８に提供する。
【００５１】
このとき、ブルートゥースモジュール３０は、２．４ＧＨｚのＩＳＭ（Ｉｎｄｕｓｔｒｉａｌ  Ｓｃｉｅｎｔｉｆｉｃ  Ｍｅｄｉｃａｌ）周波数帯域を通じて１Ｍｂ／ｓｅｃの最大データ伝送速度でデータを伝送し、フルデュープレックス伝送のために時分割多重方式（Ｔｉｍｅ−Ｄｉｖｉｓｉｏｎ  Ｄｕｐｌｅｘ  ｓｃｈｅｍｅ）が使われ、短いパケット伝送と速い周波数ホッピングによって通信接続状態を堅固に維持する。
【００５２】
マイクロプロセッサ１８は、キー入力部１０から受信されるキー信号によって身上情報及び希望者情報を設定し、近距離に他の移動端末機が近付けば、身上情報によるコードデータをブルートゥースモジュール３０に提供して他の移動端末機に伝送し、他の移動端末機から受信されるコードデータによる身上情報と、希望者情報との一致程度による数値を表示部１２を通じて表示する。
【００５３】
そして、マイクロプロセッサ１８は、加入者の選択によって個人情報または交際情報をブルートゥースモジュール３０を通じて他の移動端末機に伝送する。
【００５４】
また、マイクロプロセッサ１８は、加入者の選択によって通話要請メッセージを他の移動端末機に伝送して交際情報を交換できる音声通話を設定するか、交際情報が含まれる短文メッセージを他の移動端末機に伝送する。
【００５５】
そして、マイクロプロセッサ１８は、加入者から入力されるキー信号によって身上情報及び希望者情報を設定し、ブルートゥースモジュール３０を通じて身上情報、個人情報、プロポーズ情報及び交際情報を相手移動端末機に伝送し、相手移動端末機から受信される身上情報と希望者情報との一致情報による数値的な点数と、相手移動端末機から受信される交際情報とを表示する。
【００５６】
ベースバンド変換部２２は、マイクロホン２６から受信されるアナログ信号をデジタル信号に変換してマイクロプロセッサ１８に伝送し、マイクロプロセッサ１８から受信されるデジタル信号をアナログ信号に変換してスピーカー２４またはＲＦ信号処理部２８に伝送する。すなわち、ベースバンド変換部２２は、受信される信号を基底帯域の信号に変換し、デジタル−アナログ変換及びアナログ−デジタル変換処理などの機能を行う。
【００５７】
そして、ベースバンド変換部２２は、マイクロプロセッサ１８から受信される送信メッセージデータＴＸ  ＤＡＴＡを送信メッセージ信号ＴＸＩＱに変換してＲＦ信号処理部２８に伝送するか、該当のＲＦ信号処理部２８から入力された受信メッセージ信号ＲＸＩＱを受信メッセージデータＲＸ  ＤＡＴＡに変換してデジタル信号処理部２０に伝送する。
【００５８】
デジタル信号処理部２０は、前記ベースバンド変換部２２と送受信するオーディオデータ（ＳＰＥＥＣＨ）を符号化（Ｅｎｃｏｄｉｎｇ）するか復号化（Ｄｅｃｏｄｉｎｇ）するオーディオデータ処理機能を行い、多重経路のノイズ除去のためにイコライズ機能を行う。
【００５９】
ＲＦ信号処理部２８は、送信メッセージ信号をＲＦ（Ｒａｄｉｏ  Ｆｒｅｑｕｅｎｃｙ）信号に変換してアンテナに出力するか、そのアンテナから印加されたＲＦ信号を受信メッセージ信号ＲＸＩＱに変換してベースバンド変換部２２に出力する。
【００６０】
図３は、図１の移動端末機の構成を説明するためのブロック図である。
【００６１】
図３を参照すれば、本発明の移動端末機は、交際処理プログラム４０、身上情報データ４６、希望者情報データ４８及び多数個のデータベース４２、４４を含む。
【００６２】
そして、第１データベース（条件情報データベース）４２は、多数個の条件項目と、各条件項目に該当する条件分類データを保存する。
【００６３】
図４は、本発明による第１データベースの情報保存構造を説明するための図面である。
【００６４】
図４に示すように、第１データベース４２には、各条件項目（性別、年齢、居住地域、職業、性格、身長、体重、趣味）に区分し、各条件項目に対する多数の条件分類データ（例えば、条件項目が職業であれば、会社員、医師、教師、弁護士など）及び各条件分類データに相応するコードデータ（例えば、条件項目が職業であれば、会社員−Ｄ１、医師−Ｄ２、教師−Ｄ３、弁護士−Ｄ４．．．）が保存されている。
【００６５】
交際処理プログラム４０は、加入者のキー選択によって第１データベース４２の各条件項目による各条件分類データを設定し、加入者が選択した各条件分類データによるコードデータを用いて身上情報データを生成する。すなわち、交際処理プログラム４０は、加入者の身上情報によるコードデータを生成する。
【００６６】
また、交際処理プログラム４０は、第１データベース４２の各条件項目及び条件分類データを表示して加入者が各条件項目による条件分類データを選択させ、加入者が選択する条件分類データによって身上情報データを生成する。
【００６７】
このような、第１データベース４２の各条件項目及び条件分類データは、交際情報を交換する各移動端末機に同一の構造で設定されることが望ましい。
【００６８】
また、交際処理プログラム４０は、第１データベース４２の各条件項目及び各条件分類データを表示して、加入者が希望する相手の条件を選択させる。
【００６９】
すなわち、交際処理プログラム４０は、加入者の選択によって“希望者設定”のような情報を表示した以後に第１データベース４２の各条件項目及び各条件分類データを表示し、加入者が選択する条件分類データに相応するコードデータを用いて希望者情報データ４８を生成する。
【００７０】
そして、第２データベース（メッセージ情報）４４は、相手と交際情報を交換するための多数の交際メッセージと、各交際メッセージに相応する固有の入力コードを保存する。
【００７１】
図５は、本発明による第２データベースのメッセージ保存構造を説明するための図面である。
【００７２】
図５を参照すれば、第２データベース４４には、交際情報が含まれる多数の交際メッセージ（第１〜第ｎメッセージ）と、各交際メッセージに相応する入力コード（００００〜１１１１）を保存している。
【００７３】
第２データベース４４は、交際情報を交換する各移動端末機に同一の構造で保存されることが望ましい。
【００７４】
また、交際処理プログラム４０は、受信されるコードデータに相応する身上情報を第１データベース４２で検索し、希望者情報データ４８による希望者情報と、検索された身上情報との一致程度による数値を表示し、第２データベース４４の各交際メッセージを表示した以後に加入者が選択する交際メッセージによる入力コードを伝送する。
【００７５】
そして、交際処理プログラム４０は、受信される入力コードによる交際メッセージを第２データベース４４で検索して、交際メッセージによる交際情報を表示する。
【００７６】
すなわち、各移動端末機は、近距離網に接近する他の移動端末機に加入者の身上情報に相応するコードデータ及び交際メッセージに相応する入力コードのみを伝送して、小容量のデータを無線網を通じて伝送させることによって、通信環境とは無関係で間違いなしに正確な情報を伝達し、各データベース４２、４４に規格化された情報のみを伝送させて、悪意的内容伝達及び私生活侵害を防止できる。
【００７７】
図６は、図１の移動端末機の他の構成を説明するためのブロック図である。
【００７８】
図６を参照すれば、本発明による移動端末機は、交際処理プログラム４０、身上情報データ４６、希望者情報データ４８、設定データ５０及び多数個のデータベース４２、４４を含む。
【００７９】
そして、設定データ５０は、能動フィールド、受動フィールド、加重値データフィールド、タイプ別検索設定データフィールド、制限情報設定データフィールド、特定情報指定データフィールドを含む。
【００８０】
すなわち、移動端末機は、身上情報データ４６と、希望者情報データ４８を設定し、加入者の選択によって交際機能を設定する設定データ５０を生成できる。
【００８１】
交際処理プログラム４０は、加入者の選択によって近距離網に接近する他の移動端末機を検索して能動的に身上情報を伝送するか、または他の移動端末機から身上情報を受信のみするか否かを能動フィールド及び受動フィールドを通じて設定する。
【００８２】
そして、交際処理プログラム４０は、加入者の選択によって希望者情報データ４８の多数条件項目のうち特定の条件項目に加重値を加重値データフィールドを通じて設定する。
【００８３】
例えば、交際処理プログラム４０は、加入者が多数の条件項目のうち希望者の職業項目と、経済力項目に加重値を設定すれば、相手の身上情報と該当する希望者情報との一致情報による数値を演算する時、加重値が適用された条件項目が加重値によって高い数値を割り当てるか、加重値が設定された条件項目が一致すれば、他の条件項目が一致しないとしても表示部１２を通じて表示して交際が可能な相手であることを知らせる。
【００８４】
また、交際処理プログラム４０は、加入者の選択によって基本情報（年齢、居住地域、身体情報など）と、知性情報（学歴、専攻、外国語試験点数など）と、感性情報（性格、趣味など）と、経済力情報（職業、年俸、不動産保有程度、現金保有額など）のように、各タイプ別に分類されている情報を縛って所望のタイプの情報を数値化された点数ではない具体的に選択された条件分類事項を直接確認できるようにタイプ別検索設定データフィールドを通じて設定することができ、加入者がタイプ別検索で基本情報を選択すれば、相手の年齢と居住地域、身体情報を前記表示部１２を通じて具体的に表示する。
【００８５】
そして、交際処理プログラム４０は、加入者の選択によって希望者情報データ４８に設定されている多数の条件項目のうち制限しようとする条件項目の条件分類事項を制限情報設定データフィールドに設定することができ、例えば、加入者が年齢の条件項目で２４歳以下、４０歳以上に対する条件分類を制限するか、体重の条件項目で６０Ｋｇ以上の条件分類を制限設定すれば、ブルートゥース通信方式で受信される相手の身上情報のうち制限設定された条件分類に一致すれば、自動的に接続を解除して交際機能を終了する。
【００８６】
ここで、制限情報設定データフィールドを通じて制限しようとする条件項目として交際できる年齢を制限（例えば、１９歳以下未成年者との交際情報通信を制限）して、社会的に問題になっている未成年者との援助交際に悪用されることを防止できる。
【００８７】
また、交際処理プログラム４０は、加入者の選択によって相手の身上情報のうち所望の特定情報が一致する相手を検索するように特定情報指定データフィールドを通じて設定できる。
【００８８】
例えば、交際処理プログラム４０は、血液型の条件項目で“ＲＨ−”の血液型条件項目を特定情報として設定すれば、ブルートゥース通信が可能な一定近距離領域に位置する相手の移動端末機から受信される身上情報のうち、血液型条件項目中で“ＲＨ−”の血液型が身上情報として設定されている移動端末機を検索する。
【００８９】
図７は、本発明の第１実施形態によるサービス提供方法の流れを説明するためのフローチャートである。
【００９０】
図７を参照すれば、第１移動端末機ＨＰ１及び第２移動端末機ＨＰ２は、加入者の選択によって交際処理プログラム４０を駆動させ、身上情報データ４６と、希望者情報データ４８とを設定し、ブルートゥース通信方式の近距離通信が可能な領域に第２移動端末機ＨＰ２が近付けば、ブルートゥース通信方式によって相互通信のためのシンク（通信同期化）を設定する（Ｓ１０）。
【００９１】
第１移動端末機ＨＰ１は、シンクが設定されれば、第２移動端末機ＨＰ２に相手の身上情報を要請し（Ｓ１１）、第２移動端末機ＨＰ２は、身上情報の要請があれば、加入者の身上情報についてのコードデータを第１移動端末機ＨＰ１に伝送する（Ｓ１２）。  
【００９２】
このとき、第１移動端末機ＨＰ１は、前記第２移動端末機ＨＰ２から受信されるコードデータによって身上情報をプログラム内部的のみ処理できるように制限されなければならず、タイプ別検索設定（図６参照）がなされていない状態では身上情報の内容を照会しないようにする。
【００９３】
また、第１移動端末機ＨＰ１が第２移動端末機ＨＰ２から受信された身上情報の内容が公開しても構わない条件項目（例えば、身長、体重、趣味、特技など）の身上情報の条件項目が公開項目として設定されていれば、全体身上情報中に公開項目を照会する。
【００９４】
第１移動端末機ＨＰ１は、第２移動端末機ＨＰ２から受信されたコードデータによる身上情報を把握し、各条件項目別希望者情報と比べて一致程度を判断し（Ｓ１３）、一致程度によって数値化された点数として換算して表示部１２に表示する（Ｓ１４）。
【００９５】
このとき、第１移動端末機ＨＰ１は、前記数値化された点数が一定点数以上に算出されれば（例えば、１２０点の満点に８０点以上）、第２データベース４４に保存された多数の交際メッセージを表示し、加入者の選択によって初期のプロポーズを交際メッセージ（例えば、“私の理想型です。コーヒー一杯いかがですか”のようなプロポーズメッセージ）に相応する入力コードを第２移動端末機ＨＰ２に伝送する（Ｓ１５）。
【００９６】
一方、第１移動端末機ＨＰ１は、身上情報と希望者情報との一致程度による点数が一定点数以下であれば、加入者の選択によって第２移動端末機ＨＰ２との交際のための通信接続を終了する。
【００９７】
そして、第２移動端末機ＨＰ２は、第１移動端末機ＨＰ１からの受信される入力コードによる交際メッセージ（プロポーズメッセージ）をメッセージ情報データベース４４で検索して表示部１２を通じて表示する（Ｓ１６）。
【００９８】
第２移動端末機ＨＰ２は、プロポーズメッセージを表示し、加入者のプロポーズを首肯すれば、プロポーズメッセージに対する応答コード（例えば、“ＹＥＳ”）を伝送する（Ｓ１７）。
【００９９】
そして、第２移動端末機ＨＰ２は加入者がプロポーズを首肯すれば、個人情報（例えば、電話番号）を第１移動端末機ＨＰ１に伝送し、第１移動端末機ＨＰ１は応答コードが受信されれば、加入者の個人情報及び身上情報を第２移動端末機ＨＰ２に伝送する（Ｓ１８）。
【０１００】
このとき、第２移動端末機ＨＰ２は第１移動端末機ＨＰ１に身上情報を要請して、第１移動端末機ＨＰ１の身上情報と、希望者情報との一致程度による数値的な点数を算出して表示した以後に加入者がプロポーズに対する応答を選択させることが望ましい。
【０１０１】
一方、第１移動端末機ＨＰ１では第２移動端末機ＨＰ２から個人情報が受信されれば、“相手がプロポーズに承諾しました。通話連結しましょうか？”のような内容のメッセージを表示して通話の連結有無を問い合わせ（Ｓ１９）、加入者の選択によって通話要請メッセージを第２移動端末機ＨＰ２に伝送して音声通話を連結する（Ｓ２０）。
【０１０２】
また、第１移動端末機ＨＰ１は、加入者の選択による文字情報が含まれる短文メッセージを第２移動端末ＨＰ２に伝送できる。
【０１０３】
また、第２移動端末機ＨＰ２が加入者の選択によって通話要請メッセージまたは短文メッセージを伝送できる。
【０１０４】
図８は、本発明の第１実施形態による推薦情報を利用したサービス提供方式を説明するためのブロック図である。
【０１０５】
図８を参照すれば、交際のための通信を実行する第１移動端末機ＨＰ１及び第２移動端末機ＨＰ２と、各移動端末機の加入者の身上情報を推薦して、身上情報に信頼性を倍加させうる第３移動端末機ＨＰ３とを含む。
【０１０６】
すなわち、交際処理プログラム４０を通じて設定される加入者の身上情報に信頼性を倍加させるために第３者の推薦人を介入させ、身上情報に推薦情報を含ませて提供して、プロポーズに対する応答を決定する時に参照させる。
【０１０７】
第３移動端末機ＨＰ３の加入者は、第１移動端末機ＨＰ１の加入者に対する外向的／内向的な側面や、知的／感性的な側面、経済力側面などについての身上情報を把握し、前記把握された側面に関連された身上推薦情報を前記第１移動端末機ＨＰ１に提供する。
【０１０８】
第３移動端末機ＨＰ３は、他の移動端末機の加入者に対する推薦機能を実行できるプログラムを搭載し、第３移動端末機ＨＰ３の加入者は推薦情報の信頼性及び公信力を有するようにするために、社会有力人士（例えば、政治界人士、経済界人士、言論人、演芸関係者、文化及び芸術系統従事者など）に適用することが望ましい。
【０１０９】
そして、第１移動端末機ＨＰ１は、第２移動端末機ＨＰ２からブルートゥース通信方式によって身上情報が要請されれば、第３移動端末機ＨＰ３から提供される身上推薦情報が追加された身上情報を第２移動端末機ＨＰ２に伝送する。
【０１１０】
図９は、推薦情報を利用したサービス提供方法の身上情報の流れを説明するためのブロック図である。
【０１１１】
図９を参照すれば、第３移動端末機ＨＰ３は、他の移動端末機の加入者身上情報についての推薦情報を提供する推薦処理プログラム５２と、推薦対象の相手に対する身体的、知的、感性的、経済的な側面を推薦するための多様な形態の推薦情報が保存されている第３データベース（推薦情報）５４とを含む。
【０１１２】
第３データベース５４は、各移動端末機ＨＰ１、ＨＰ２の身上情報として設定された各条件項目についての推薦情報項目を保存する。
【０１１３】
このとき、第３データベース５４の各推薦情報項目は、移動端末機の第１データベース４２に保存された各条件項目の条件分類と同等なコード体系を有することが望ましい。
【０１１４】
第３移動端末機ＨＰ３の推薦処理プログラム５２は、加入者の選択によって他の移動端末機（例えば、第１移動端末機ＨＰ１）に認証処理のための認証コードと、身上推薦情報のコードデータとを提供する。
【０１１５】
第１移動端末機ＨＰ１の交際処理プログラム４０は、第３移動端末機ＨＰ３から提供される認証コードによって認証処理し、身上推薦情報のコードデータを自身の身上情報データ４６に追加的に添付して保存する。
【０１１６】
そして、第１移動端末機ＨＰ１の交際処理プログラム４０は、第２移動端末機ＨＰ２からブルートゥース通信方式によって身上情報の要請があれば、身上情報のコードデータと、第３移動端末機ＨＰ３から提供された身上推薦情報のコードデータとを共に伝送する。
【０１１７】
第２移動端末機ＨＰ２は、第１移動端末機ＨＰ１から受信される身上情報のコードデータと、希望者情報のコードデータとを比較判断して数値的な点数を算出しながら第２データベース４２で身上推薦情報のコードデータに相応する条件項目に対する条件分類データを抽出して第３者の推薦情報を照会する。
【０１１８】
例えば、第２移動端末機ＨＰ２は、推薦情報が“知性美があふれる”のような推薦項目であれば、その推薦項目のコードデータに相応する同等な条件情報データベースの条件項目の条件分類として“知性美があふれる”のようなメッセージを照会できる。
【０１１９】
一方、各移動端末機は伝送される身上情報の保安のために、身上推薦情報の内容を相手が詳しく照会できるように身上推薦情報のコードデータを伝送せず、推薦された推薦者の数字についての情報のみを伝送できる。
【０１２０】
すなわち、各移動端末機は、身体項目、知性項目、感性項目、経済力項目などのような各タイプ別に推薦人数の情報を分類して推薦人数字のみを相手に伝送できる。
【０１２１】
また、移動端末機は、他の移動端末機から受信される交際メッセージ（プロポーズメッセージ）をカウンティングしてプロポーズ回数情報を保存し、他の移動端末機からプロポーズ要請があれば、プロポーズ回数情報と、身上情報及び推薦情報を伝送して、交際を要請する他人が受信する身上情報に対する信頼性を高める。
【０１２２】
図１０は、本発明の第２実施形態によるサービス提供システムを説明するためのブロック図である。
【０１２３】
図１０を参照すれば、ブルートゥース通信方式で情報を交換する多数個の移動端末機と、移動端末機からプロポーズ要請が受信されれば、相手移動端末機にプロポーズメッセージを伝送し、受信される応答メッセージによってプロポーズ諾否を知らせてくれる交際管理サーバーとを含む。
【０１２４】
各移動端末機は、交際管理サーバーから交際処理プログラム情報をダウンロードし、移動通信網または無線インターネット網を通じてサービスプログラム情報をダウンロードして設置し、各移動端末機の加入者は前記サービスプログラムを通じて自身の移動端末機に自身の身上情報を項目別に設定し、希望する相手についての希望者情報を項目別に設定する。
【０１２５】
ここで、交際処理プログラムは、無線インターネット網または移動通信網を通じてプログラム提供サーバーからダウンロードするか、該当の移動端末機に交際処理プログラムを製作初期に搭載するか、その他の通信方式（例えば、ＵＳＢ通信、赤外線通信）を通じてダウンロードできる。
【０１２６】
そして、各移動端末機は、相手移動端末機がブルートゥース通信方式で近距離通信が可能な領域に近付けば、自身の身上情報のコードデータと端末機一連番号（Ｅｌｅｃｔｒｏｎｉｃ  Ｓｅｒｉａｌ  Ｎｕｍｂｅｒ；ＥＳＮ）のような識別情報を伝送し、相手移動端末機から受信される身上情報と、加入者が設定した希望者情報との一致程度による数値的な点数で表示する。
【０１２７】
このとき、各移動端末機が相手移動端末機に伝送する識別情報は、一連番号（ＥＳＮ）またはブルートゥースモジュールのような近距離通信用モジュールに固有に割り当てられた近距離通信モジュールＩＤ情報を伝送できる。
【０１２８】
そして、第１移動端末機の加入者は、第２移動端末機の身上情報と希望者情報による点数が一定数値以上であれば、第２移動端末機にプロポーズ情報を伝送し、受信される応答メッセージによって交際情報を交換する。
【０１２９】
一方、第１移動端末機の加入者は、第２移動端末機が近距離通信が可能な領域を外れる場合、すなわち、ブルートゥース通信方式で交際情報を交換できない場合には、移動通信網を通じて交際管理サーバーに接続して、プロポーズ要請メッセージを伝送する。
【０１３０】
このとき、第１移動端末機は、加入者の選択によって第２移動端末機の端末機一連番号（ＥＳＮ）または近距離通信モジュールＩＤ情報をプロポーズ要請メッセージに含ませる。
【０１３１】
交際管理サーバーは、交際情報サービスに加入した各移動端末機の身上情報と、希望者情報とを保存し、第１移動端末機からプロポーズ要請メッセージが受信されれば、第２移動端末機にプロポーズメッセージを伝送する。
【０１３２】
そして、交際管理サーバーは、第２移動端末機から受信される応答メッセージによってプロポーズ応答メッセージを第１移動端末機に伝送して、第２移動端末機のプロポーズ諾否の決定事項によって第１移動端末機と第２移動端末機と間の交際情報を交換するための通信を設定する。
【０１３３】
図１１は、本発明の第２実施形態による移動通信システムを説明するためのネットワークブロック図である。
【０１３４】
図１１を参照すれば、多数個の移動端末機（ＢＳＣ）１００、１２００と、移動通信基地局（Ｂａｓｅ  Ｔｒａｎｓｃｅｉｖｅｒ  Ｓｔａｔｉｏｎ；ＢＴＳ）１４０、１６０、基地局制御器（Ｂａｓｅ  Ｓｔａｔｉｏｎ  Ｃｏｎｔｒｏｌｌｅｒ；ＢＳＣ）１８０、２００、移動通信交換機（Ｍｏｂｉｌｅ  Ｓｗｉｔｃｈｉｎｇ  Ｃｅｎｔｅｒ；ＭＳＣ）２２０、２６０、訪問加入者位置登録器（Ｖｉｓｉｔｏｒ  Ｌｏｃａｔｉｏｎ  Ｒｅｇｉｓｔｅｒ；ＶＬＲ）２４０、２８０、ホーム位置登録器（Ｈｏｍｅ  Ｌｏｃａｔｉｏｎ  Ｒｅｇｉｓｔｅｒ；ＨＬＲ）３００、短文メッセージセンター（Ｓｈｏｒｔ  Ｍａｓｓａｇｅ  Ｃｅｎｔｅｒ；ＳＭＣ）３２、交際管理サーバー３４０、第４データベース（交際情報管理）３６０を含む。
【０１３５】
各移動端末機１００、１２００は、近距離通信のための通信モジュール（例えば、ブルートゥースモジュール）と、交際処理プログラムを備え、加入者が設定する身上情報及び希望者情報を保存し、他の移動端末機が近距離通信が可能な一定半径以内に近付けば、身上情報を交換して希望者情報と身上情報との一致程度による点数を算出して表示する。
【０１３６】
そして、各移動端末機１００、１２０は、加入者の選択によって他の移動端末機とメッセージを交換するか、音声通話を設定する。
【０１３７】
一方、第１移動端末機１００は、第２移動端末機１２０が近距離通信半径を外れる場合には、加入者の選択によってプロポーズ要請メッセージを交際管理サーバー３４０に伝送し、交際管理サーバー３４０は、第１移動端末機１００からプロポーズ要請メッセージが受信されれば、第２移動端末機１２０にプロポーズメッセージを伝送する。
【０１３８】
そして、交際管理サーバー３４０は、第２移動端末機１２０から受信される応答メッセージによってプロポーズ受諾情報またはプロポーズ拒否情報が含まれるプロポーズ応答メッセージを第１移動端末機１００に伝送する。
【０１３９】
すなわち、交際管理サーバー３４０は、第１移動端末機１００と第２移動端末機１２０との距離が近距離通信半径で遠くなる場合、すなわち、各移動端末機１００、１２０がブルートゥース通信方式で交際情報を交換できない場合に、各移動端末機１００、１２０の間のプロポーズ情報が移動通信網を通じて交換させる。
【０１４０】
移動通信基地局１４０、１６０は、加入者の移動端末機と直接連結される網縦断装置として基底帯域の信号処理と、有無線変換及び無線信号の送受信などを処理し、ＲＦ無線信号処理方式によって各移動端末機１００、１２０に音声通話信号、音声案内メッセージまたはデータ信号を送受信する。
【０１４１】
基地局制御器１８０、２００は、それぞれの担当基地局１４０、１６０と各移動通信交換機２２０、２６０との間に位置して各移動通信基地局１４０、１６０の管理及び制御を担当するものであって、各移動端末機１００、１２０に対する無線チャンネル割り当て／解除機能、移動端末機及び基地局１４０、１６０の送信出力制御機能、セル間のハンドオフ決定、基地局の運用及び維持補修機能を処理する。
【０１４２】
移動通信交換機２２０、２６０は、移動端末機の着／発呼処理機能と、各訪問加入者位置登録器２４０、２８０またはホーム位置登録器３００を通じる移動端末機１００、１２０の位置登録手続き及びハンドオフ手続きを実行し、着信者の特定発信者との音声通話中に第３発信者の呼発信に対する電話中待機サービスを提供する。
【０１４３】
訪問加入者位置登録器２４０、２８０は、それぞれ該当する移動通信交換機２２０、２６０が管掌する地域に位置する移動端末機１００、１２０についての加入者情報及び位置情報を登録／管理する。
【０１４４】
ホーム位置登録器３００は、移動通信サービスに登録された全体端末機加入者についての加入者情報と位置情報とを保存し、ＳＳ７網を通じて前記移動通信交換機２２０、２６０と連結されて加入者の位置登録及び加入者追跡機能を処理する。
【０１４５】
短文メッセージセンター３２０は、ＳＳ７網を通じて前記各移動通信交換機２２０、２６０と連結されて、交際管理サーバー３４０の短文メッセージ要請によって交際情報及びプロポーズ情報が含まれる短文メッセージを各移動端末機１００、１２０に伝送する。
【０１４６】
交際管理サーバー３４０は、交際情報サービスに加入されている各移動端末機１００の加入者についての身上情報と希望者情報とを保存し、移動端末機１００、１２０からプロポーズ要請メッセージが受信されれば、相手移動端末機にプロポーズメッセージを伝送し、相手移動端末機から受信される応答メッセージに含まれたプロポーズ受諾情報またはプロポーズ拒否情報が含まれるプロポーズ応答メッセージを移動端末機に伝送する。
【０１４７】
このとき、各移動端末機１００、１２０は、移動通信基地局（ＢＴＳ）１４０、１６０、基地局制御器（ＢＳＣ）１８０、２００、及び移動通信交換機（ＭＳＣ）２２０、２６０を通じてプロポーズ要請メッセージまたは応答メッセージを交際管理サーバー３４０に伝送し、交際管理サーバー３４０は、プロポーズメッセージまたはプロポーズ応答メッセージをＳＭＣ３２０を通じて短文メッセージ形態で各移動端末機１００、１２０に伝送できる。
【０１４８】
そして、交際管理サーバー３４０は、移動端末機にプロポーズメッセージを伝送した以後に受信される応答メッセージにプロポーズ受諾情報が含まれていれば、各移動端末機間の音声通話呼を設定するか、交際情報が含まれる短文メッセージを交換する。
【０１４９】
また、交際管理サーバー３４０は、各移動端末機から各加入者の身上情報及び希望者情報を受信して、第４データベース３６０に保存する。
【０１５０】
第４データベース３６０は、交際情報サービスに加入されている各移動端末機の加入者についての身上情報と希望者情報とが保存される。
【０１５１】
そして、各移動端末機は、前記図３で説明されたように、交際処理プログラム４０、身上情報データ４６、希望者情報データ４８及び多数個のデータベース４２、４４を含み、第１データベース４２には、前記図４で説明されたように、各条件項目（性別、年齢、居住地域、職業、性格、身長、体重、趣味）に区分し、各条件項目に対する多数の条件分類データ（例えば、条件項目が職業であれば、会社員、医師、教師、弁護士など）及び各条件分類データに相応するコードデータ（例えば、条件項目が職業であれば、会社員−Ｄ１、医師−Ｄ２、教師−Ｄ３、弁護士−Ｄ４．．．）が保存される。
【０１５２】
交際処理プログラム４０は、加入者のキー選択によって第１データベース４２の各条件項目による各条件分類データを設定し、加入者が選択した各条件分類データによるコードデータを用いて身上情報データを生成する。すなわち、交際処理プログラム４０は、加入者の身上情報によるコードデータを生成する。
【０１５３】
また、交際処理プログラム４０は、第１データベース４２の各条件項目及び条件分類データを表示して加入者が各条件項目による条件分類データを選択させ、加入者が選択する条件分類データによって身上情報データを生成する。
【０１５４】
このような、第１データベース４２の各条件項目及び条件分類データは、交際情報を交換する各移動端末機に同一の構造に設定されることが望ましい。
【０１５５】
また、交際処理プログラム４０は、第１データベース４２の各条件項目及び各条件分類データを表示して、加入者が希望する相手の条件を選択させる。
【０１５６】
すなわち、交際処理プログラム４０は、加入者の選択によって“希望者設定”のような情報を表示した以後に第１データベース４２の各条件項目及び各条件分類データを表示し、加入者が選択する条件分類データに相応するコードデータを用いて希望者情報データ４８を生成する。
【０１５７】
そして、第２データベース（メッセージ情報）４４は、相手と交際情報を交換するための多数の交際メッセージと、各交際メッセージに相応する固有の入力コードを保存する。
【０１５８】
図５は、本発明によるメッセージ保存構造を説明するための図面であって、図５を参照すれば、第２データベース４４には、交際情報が含まれる多数の交際メッセージ（第１〜第ｎメッセージ）と、各交際メッセージに相応する入力コード（００００〜１１１１）を保存している。
【０１５９】
第２データベース４４は、交際情報を交換する各移動端末機で同一の構造に保存されることが望ましい。
【０１６０】
また、交際処理プログラム４０は、受信されるコードデータに相応する身上情報を第１データベース４２で検索し、希望者情報データ４８による希望者情報と、検索された身上情報との一致程度による数値を表示し、第２データベース４４の各交際メッセージを表示した以後に加入者が選択する交際メッセージによる入力コードを伝送する。
【０１６１】
そして、交際処理プログラム４０は、受信される入力コードによる交際メッセージを第２データベース４４に検索して、交際メッセージによる交際情報を表示する。
【０１６２】
交際管理サーバー３４０は、各移動端末機から各加入者の身上情報及び希望者情報を受信して第４データベース３６０に保存する。
【０１６３】
図１２は、本発明による第４データベースの構造を説明するためのブロック図である。
【０１６４】
図１２を参照すれば、交際管理サーバー３４０は、交際情報サービスに加入されている各移動端末機の加入者情報を保存する加入者情報保存部７２と、各加入者別に移動端末機に設定した身上情報のコードデータを保存する加入者別身上情報保存部７４と、各加入者別に移動端末機に設定した希望者情報のコードデータが保存する加入者別希望者情報保存部７６と、各移動端末機から受信されるプロポーズ要請メッセージによる相手移動端末機の一連番号と一致指数、プロポーズ受諾情報またはプロポーズ拒否情報を保存する加入者別プロポーズ意思情報保存部７８、プロポーズ要請メッセージを伝送した加入者とプロポーズメッセージを受信した加入者間の交際情報を交換するための多数のプロポーズメッセージを保存するプロポーズメッセージ情報保存部８０とを含む。
【０１６５】
加入者情報保存部７２は、交際情報サービスに加入した加入者を対象にホーム位置登録器３００から加入者情報すなわち、端末機一連番号（ＥＳＮ）と、性別、年齢、名前などの情報を獲得して保存し、各移動端末機に身上情報を設定する場合には、ホーム位置登録器３００から獲得した加入者情報に基づいて基本身上情報を作成できる。
【０１６６】
そして、加入者別身上情報保存部７４と加入者別希望者情報保存部７６は、各移動端末機１００、１２０から受信される加入者の身上情報と希望者情報とを保存しながら各移動端末機１００、１２０の加入者が身上情報と希望者情報とを変更すれば、各加入者の身上情報及び希望者情報を同様に変更する。
【０１６７】
図１３は、本発明の第２実施形態によるサービス提供方法の流れを説明するためのフローチャートである。
【０１６８】
図１３を参照すれば、各移動端末機１００、１２０は、交際情報処理プログラム６２を通じて身上情報データ６８と、希望者情報データ７０とを設定し、近距離通信が可能な半径内に相手移動端末が近付けば、ブルートゥースモジュール６０を通じて相互通信のためのシンク設定過程を実行する（Ｓ１００）。
【０１６９】
そして、第１移動端末機１００は、第２移動端末機１２０に身上情報を要請し（Ｓ１１０）、第２移動端末機１２０は、端末機の一連番号（ＥＳＮ）またはブルートゥースモジュールＩＤと身上情報についてのコードデータを第１移動端末機１００に伝送する（Ｓ１２０）。
【０１７０】
第１移動端末機１００は、第２移動端末機１２０から受信される身上情報のコードデータを該当の希望者情報の各条件項目別コードデータと比べて一致程度を判別する演算を処理し、一致程度による数値化された点数を換算して表示する（Ｓ１３０）。
【０１７１】
このとき、第１移動端末機１００の加入者は、第２移動端末機１２０と交際情報を交換しにくい状況であれば、相手移動端末機である第２移動端末機１２０の端末機一連番号（ＥＳＮ）またはブルートゥースモジュールＩＤと一致指数、身上情報のコードデータをデータメモリ４６に保存する（Ｓ１４０）。
【０１７２】
そして、第１移動端末機１００は、加入者の選択によって自身の端末機一連番号（ＥＳＮ）またはブルートゥースモジュールＩＤと一致指数と、第２移動端末機１２０の端末機一連番号またはブルートゥースモジュールＩＤ情報などを含むプロポーズ要請メッセージを交際管理サーバー３４０に伝送する（Ｓ１５０）。
【０１７３】
交際管理サーバー３４０は、第４データベース３６０を参照して、第１移動端末機１００から受信された第２移動端末機１２０の端末機一連番号（ＥＳＮ）またはブルートゥースモジュールＩＤを用いて第２移動端末機の加入者を把握し、加入者別身上情報保存部７４で第２移動端末機１２０の身上情報と、加入者別希望者情報保存部７６で抽出される第１移動端末機１００の希望者情報と比べて第１移動端末機１００から受信された一致指数が正しく算出されたか否かを確認する（Ｓ１６０）。
【０１７４】
そして、交際管理サーバー３４０は、第４データベース３６０のプロポーズメッセージ情報保存部８０で該当するプロポーズメッセージ（例えば、“×××から遠隔プロポーズが受信されました。受け入れますか？”）を抽出し、短文メッセージセンター３２０を通じて第２移動端末機１２０に伝送する（Ｓ１７０）。
【０１７５】
このとき、プロポーズメッセージには、第１移動端末機１００の身上情報によるコードデータを含み、コールバックＵＲＬ情報を含んで、第２移動端末機１２０の加入者が第１移動端末機１００の身上情報を確認し、応答メッセージを伝送させる。
【０１７６】
第２移動端末機１２０は、プロポーズメッセージが短文メッセージ形態で受信されれば、第１移動端末機１００の身上情報についてのコードデータと、希望者情報のコードデータによって一致指数を把握した以後にプロポーズ情報を表示する。
【０１７７】
そして、第２移動端末機１２０の加入者は、プロポーズ内容を確認した以後にプロポーズ受諾情報またはプロポーズ拒否情報が含まれる応答メッセージをコールバックＵＲＬを通じて交際管理サーバー３４０に伝送する（Ｓ１８０）。
【０１７８】
交際管理サーバー３４０は、第２移動端末機１２０からプロポーズ受諾情報が含まれる応答メッセージが受信されれば、第１移動端末機１００の個人情報（例えば、名前や電話番号など）を第２移動端末機１２０に伝送し（Ｓ１９０）、第１移動端末機１００にプロポーズの結果を通報しながら第２移動端末機１２０の加入者についての個人情報（例えば、名前や電話番号など）を伝送する（Ｓ２００）。
【０１７９】
そして、第１及び第２移動端末機１００、１２０は、交際管理サーバー３４０から受信された相手の個人情報によって音声通話または文字メッセージまたは無線インターネットチャットなどを通じて交際情報を交換する（Ｓ２１０）。
【０１８０】
また、交際管理サーバー３４０は、プロポーズを受諾した第１及び第２移動端末機１００、１２０に間接的に相手についての個人情報のみを伝送する場合について説明するが、別途のチャットサーバー（図示せず）と連動されて各第１及び第２移動端末機１００、１２０間に文字チャットを中継するか短文メッセージの交換を中継できる。
【０１８１】
また、交際管理サーバー３４０は、第２移動端末機１２０からプロポーズ拒否情報が含まれた応答メッセージが受信されれば、プロポーズ拒否情報を第１移動端末機１００に伝送して知らせる。
【０１８２】
そして、交際管理サーバー３４０では、第２移動端末機１２０にプロポーズメッセージを伝送した以後に受信される応答メッセージによって交際情報を交換する場合について説明したが、プロポーズメッセージを伝送した以後に所定時間の間に各移動端末機１００、１２０間の簡単な無線インターネットチャットを通じて交際情報を交換した以後に第２移動端末機１２０から応答メッセージを受信することによって、プロポーズ過程がより公正になされるようにすることもいくらでも可能である。
【０１８３】
図１４は、本発明の第２実施形態による推薦情報を利用したサービス提供方式を説明するためのブロック図である。
【０１８４】
図１４に示すように、第１移動端末機は、第３移動端末機の加入者から第１移動端末機１００の加入者に対する外向的／内向的な側面や、知的／感性的な側面、経済力側面に関連された身上推薦情報を提供する。
【０１８５】
そして、第１移動端末機は、相手移動端末機から身上情報要請があれば、第３移動端末機から提供された身上推薦情報と、身上情報とを同時に提供できる。
【０１８６】
また、第１移動端末機１００は、第３移動端末機から身上推薦情報が提供されると、身上推薦情報を交際管理サーバー３４０に追加的にバックアップして、移動端末機の紛失または取り替えのような状況が発生した場合でも身上推薦情報は消失せず、交際管理サーバー３４０からまた提供される。
【図面の簡単な説明】
【０１８７】
【図１】図１は、本発明の第１実施形態によるサービス提供システムを説明するためのブロック図である。
【図２】図２は、本発明による移動端末機を説明するための内部ブロック図である。
【図３】図３は、図１の移動端末機の構成を説明するためのブロック図である。
【図４】図４は、本発明による第１データベースの情報保存構造を説明するための図面である。
【図５】図５は、本発明による第２データベースのメッセージ保存構造を説明するための図面である。
【図６】図６は、図１の移動端末機の他の構成を説明するためのブロック図である。
【図７】図７は、本発明の第１実施形態によるサービス提供方法の流れを説明するためのフローチャートである。
【図８】図８は、本発明の第１実施形態による推薦情報を利用したサービス提供方式を説明するためのブロック図である。
【図９】図９は、推薦情報を利用したサービス提供方法の身上情報の流れを説明するためのブロック図である。
【図１０】図１０は、本発明の第２実施形態によるサービス提供システムを説明するためのブロック図である。
【図１１】図１１は、本発明の第２実施形態による移動通信システムを説明するためのネットワークブロック図である。
【図１２】図１２は、本発明による第４データベースの構造を説明するためのブロック図である。
【図１３】図１３は、本発明の第２実施形態によるサービス提供方法の流れを説明するためのフローチャートである。
【図１４】図１４は、本発明の第２実施形態による推薦情報を利用したサービス提供方式を説明するためのブロック図である。
【符号の説明】
【０１８８】
１０    キー入力部
１２    表示部
１４    プログラムメモリ
１６    データメモリ
１８    マイクロプロセッサ
２０    デジタル信号処理部（ＤＳＰ）
２２    ベースバンド変換部
２４    スピーカー
２６    マイクロホン
２８    ＲＦ信号処理部
３０    ブルートゥースモジュール
４０    交際処理プログラム
４２    第１データベース
４４    第２データベース
３４０  交際管理サーバー
１００，１２０，ＨＰ１，ＨＰ２  移動端末機
【図１】
2008522481.tif 000003
【図２】
2008522481.tif 000004
【図３】
2008522481.tif 000005
【図４】
2008522481.tif 000006
【図５】
2008522481.tif 000007
【図６】
2008522481.tif 000008
【図７】
2008522481.tif 000009
【図８】
2008522481.tif 000010
【図９】
2008522481.tif 000011
【図１０】
2008522481.tif 000012
【図１１】
2008522481.tif 000013
【図１２】
2008522481.tif 000014
【図１３】
2008522481.tif 000015
【図１４】
2008522481.tif 000016
【国際調査報告】
2008522481.tif 000017
2008522481.tif 000018